【手続補正書】
【提出日】平成16年12月28日(2004.12.28)
【手続補正１】
【補正対象書類名】明細書
【補正対象項目名】発明の名称
【補正方法】変更
【補正の内容】
【発明の名称】再生システム、再生端末装置、再生方法
【手続補正２】
【補正対象書類名】明細書
【補正対象項目名】特許請求の範囲
【補正方法】変更
【補正の内容】
【特許請求の範囲】
【請求項１】
複数の情報サーバと、オーディオデータを再生する再生端末装置とが、伝送路を介して通信可能とされる再生システムであって、
上記再生端末装置は、
再生されるオーディオデータに対応する識別情報を、上記伝送路を介して所定の情報サーバに送信する送信手段を有し、
上記所定の情報サーバは、
上記伝送路を介して上記再生端末装置からの上記識別情報を受信する受信手段と、
上記識別情報に基づいて、ＵＲＬアドレスを発生させるアドレス発生手段とを有し、
上記再生端末装置が、上記ＵＲＬアドレスによって示される情報サーバから、再生するオーディオデータに関連する、画像データを含む関連情報を受信するようにしたことを特徴とする再生システム。
【請求項２】
上記所定の情報サーバは、
上記アドレス発生手段で発生させたＵＲＬアドレスに基づいて、他の情報サーバにアクセスするアクセス手段を、
さらに備えることを特徴とする請求項１に記載の再生システム。
【請求項３】
上記所定の情報サーバは、
上記アドレス発生手段で発生させたＵＲＬアドレスを、上記再生端末装置に送信する送信手段を、
さらに備えることを特徴とする請求項１に記載の再生システム。
【請求項４】
上記所定の情報サーバは、
各識別情報に対応するＵＲＬアドレスを登録した登録手段を、
さらに備えることを特徴とする請求項１に記載の再生システム。
【請求項５】
上記再生端末装置は、
上記所定の情報サーバから送信されてくるＵＲＬアドレスを受信する受信手段と、
上記受信手段で受信したＵＲＬアドレスを記憶する記憶手段を、
さらに備えることを特徴とする請求項３に記載の再生システム。
【請求項６】
上記関連情報にはジャケット画像データが含まれることを特徴とする請求項１に記載の再生システム。
【請求項７】
上記関連情報にはアーティストの最新情報が含まれることを特徴とする請求項１に記載の再生システム。
【請求項８】
オーディオデータに対応する上記識別情報は、上記オーディオデータを収録した記録媒体のＴＯＣ情報であることを特徴とする請求項１に記載の再生システム。
【請求項９】
オーディオデータに対応する上記識別情報は、上記オーディオデータを含む音楽アルバムに設定された番号情報であることを特徴とする請求項１に記載の再生システム。
【請求項１０】
主データと、主データに関連づけられた関連情報を同時に再生する再生端末装置であって、
再生する主データに対応する識別情報を、データベースサーバに送信する送信手段と、
上記識別情報に基づく上記データベースサーバでの検索結果によって指定された所定の情報サーバから関連情報を受信する受信手段と、
上記関連情報を表示する表示手段と、
を備えたことを特徴とする再生端末装置。
【請求項１１】
上記受信手段は、上記データベースサーバから送信されたＵＲＬアドレスを受信することを特徴とする請求項１０に記載の再生端末装置。
【請求項１２】
上記関連情報にはジャケット画像データが含まれることを特徴とする請求項１０に記載の再生端末装置。
【請求項１３】
上記関連情報にはアーティストの最新情報が含まれることを特徴とする請求項１０に記載の再生端末装置。
【請求項１４】
主データに対応する上記識別情報は、上記主データを収録した記録媒体のＴＯＣ情報であることを特徴とする請求項１０に記載の再生端末装置。
【請求項１５】
主データに対応する上記識別情報は、上記主データを含む音楽アルバムに設定された番号情報であることを特徴とする請求項１０に記載の再生端末装置。
【請求項１６】
複数の情報サーバと、オーディオデータを再生する再生端末装置とが、伝送路を介して通信可能とされる再生システムにおける再生方法として、
上記再生端末装置が、再生するオーディオデータに対応する識別情報を、上記伝送路を介して所定の情報サーバに送信する送信ステップと、
上記所定の情報サーバが、上記伝送路を介して上記再生端末装置からの上記識別情報を受信する受信ステップと、
上記所定の情報サーバが、上記識別情報に基づいて、ＵＲＬアドレスを発生させるアドレス発生ステップと、
上記再生端末装置が、上記ＵＲＬアドレスによって示される情報サーバから、再生するオーディオデータに関連する、画像データを含む関連情報を受信する受信ステップと、
を備えることを特徴とする再生方法。
【請求項１７】
主データと、主データに関連づけられた関連情報を同時に再生する再生端末装置における再生方法として、
再生する主データに対応する識別情報を、データベースサーバに送信する送信ステップと、
上記識別情報に基づく上記データベースサーバでの検索結果によって指定された所定の情報サーバから関連情報を受信する受信ステップと、
上記関連情報を表示する表示ステップと、
を備えたことを特徴とする再生方法。
【手続補正３】
【補正対象書類名】明細書
【補正対象項目名】０００７
【補正方法】変更
【補正の内容】
【０００７】
【課題を解決するための手段】
そこで本発明では、再生されるデータファイル（例えば曲などのオーディオデータ）に対応して、多様かつ高度で面白味があり、かつアップトゥーデートな情報を表示できるようにすること、さらにはその実現のためにユーザーに操作負担や多大な機器準備負担をかけないようにすることを目的として、新規な再生システム、再生端末装置及び再生方法を提供する。


【手続補正４】
【補正対象書類名】明細書
【補正対象項目名】０００８
【補正方法】変更
【補正の内容】
【０００８】
本発明の再生システムは、複数の情報サーバと、オーディオデータを再生する再生端末装置とが、伝送路を介して通信可能とされる再生システムである。そして上記再生端末装置は、再生されるオーディオデータに対応する識別情報を、上記伝送路を介して所定の情報サーバに送信する送信手段を有する。また上記所定の情報サーバは、上記伝送路を介して上記再生端末装置からの上記識別情報を受信する受信手段と、上記識別情報に基づいて、ＵＲＬアドレスを発生させるアドレス発生手段とを有する。これにより上記再生端末装置が、上記ＵＲＬアドレスによって示される情報サーバから、再生するオーディオデータに関連する、画像データを含む関連情報を受信するようにする。
また本発明の再生端末装置は、主データと、主データに関連づけられた関連情報を同時に再生する再生端末装置であって、再生する主データに対応する識別情報を、データベースサーバに送信する送信手段と、上記識別情報に基づく上記データベースサーバでの検索結果によって指定された所定の情報サーバから関連情報を受信する受信手段と、上記関連情報を表示する表示手段とを備える。
本発明の再生方法は、複数の情報サーバと、オーディオデータを再生する再生端末装置とが、伝送路を介して通信可能とされる再生システムにおける再生方法である。そして、上記再生端末装置が、再生するオーディオデータに関連づけられた識別情報を、上記伝送路を介して所定の情報サーバに送信する送信ステップと、上記所定の情報サーバが、上記伝送路を介して上記再生端末装置からの上記識別情報を受信する受信ステップと、上記所定の情報サーバが、上記識別情報に基づいて、ＵＲＬアドレスを発生させるアドレス発生ステップと、上記再生端末装置が、上記ＵＲＬアドレスによって示される情報サーバから、再生するオーディオデータに関連する、画像データを含む関連情報を受信する受信ステップとを備える。
また本発明の再生方法は、主データと、主データに関連づけられた関連情報を同時に再生する再生端末装置における再生方法として、再生する主データに対応する識別情報を、データベースサーバに送信する送信ステップと、上記識別情報に基づく上記データベースサーバでの検索結果によって指定された所定の情報サーバから関連情報を受信する受信ステップと、上記関連情報を表示する表示ステップとを備える。
これらの本発明では、再生端末装置側で再生されるデータファイルに応じてある情報サーバから、そのデータファイルに関連したデータが再生端末装置にロードされるようにし、そのロードデータを表示できるようにするものである。
この場合、表示されるロードデータは、例えば再生されるデータファイルとしての楽曲のアーティストなどのインターネットホームページのデータなどとすることができ、即ち多様かつ最新の情報をユーザーに提供できる。もちろんその場合にユーザーに操作負担や機器用意の負担をかけないものとすることができる。


【手続補正５】
【補正対象書類名】明細書
【補正対象項目名】００１２
【補正方法】変更
【補正の内容】
【００１２】
そして例えば通信回線３（もしくは無線通信回線など）によってネットワークが形成される。ネットワーク形態は特に限定されないが、本例では説明上、インターネットを利用するものとする。
各プロバイダ６や情報センタ１は、それぞれ契約者などが作成したホームページなどのデータをインターネットを介して提供（ダウンロード）できる形態を採る。即ち、詳しくは後述するが、記録再生装置１０では通信回線３を介してホームページやリンクページなどのデータをロードすることができる。
もちろん通信されるデータ（つまりネットワーク上に提供されているデータ）は、いわゆるインターネットホームページに限定されるものではないが、本例では、記録再生装置１０がホームページ（及びリンクページ）のデータをロードすることを例として説明していく。


【手続補正６】
【補正対象書類名】明細書
【補正対象項目名】０１５４
【補正方法】変更
【補正の内容】
【０１５４】
つまり、ユーザーが任意に編集を行った場合でも、再生する楽曲等に対応する各種の関連情報が表示されることになり、ユーザーへの有効な情報提供や表示画面としてのおもしろさが実現されることになる。
また、あえてユーザーが再生される楽曲等には関連しない画像を表示させるように設定することも可能となる。


【手続補正７】
【補正対象書類名】明細書
【補正対象項目名】０１５８
【補正方法】変更
【補正の内容】
【０１５８】
【発明の効果】
以上の説明からわかるように本発明によれば以下のような効果が得られる。
本発明によれば、再生端末装置側で再生されるデータファイルに応じて、ある情報サーバから、そのデータファイルに関連したデータが再生端末装置にロードされ、そのロードデータが表示されてユーザーに提示されることになる。
従って、表示される情報は、再生されるデータファイルとしての楽曲などに関連する情報、例えばアーティストなどのインターネットホームページのデータなどであって、即ち多様、高度、かつ最新の情報とすることができ、ユーザーにとってデータファイルの再生に応じて高い付加価値や大きな楽しみを与えることができるという効果がある。
また、ユーザーは特にアクセスのための操作は必要なく、ユーザーにとっては所望のデータファイルの再生を指示する操作を行うのみで多様な情報の表示が行われることになるため、操作負担はなく、非常に使い勝手のよいシステムとすることができる。また再生端末装置（記録再生装置１０）を所有するユーザーは、他の周辺機器を用意する必要はないため、機器用意の負担もない。


【手続補正８】
【補正対象書類名】明細書
【補正対象項目名】０１５９
【補正方法】変更
【補正の内容】
【０１５９】
また本発明において、所定の情報サーバによってＵＲＬ判別や関連情報の送信が行われるようにすれば、再生端末装置（記録再生装置１０）側では、再生手段で再生されるデータファイルの識別情報を送信する機能と、ロードデータを受信する機能があればよく、ハードウエアもしくはソフトウエアの構成を簡略化できる。このためユーザーが購入する機器としての小型化、低価格化も促進できる。
さらに情報サーバ側で関連情報を得るための情報サーバを判別することで、例えばホームページアドレスの変更などにも組織的な対応が可能となり、常に良好なデータロード動作が実現できる。


【手続補正９】
【補正対象書類名】明細書
【補正対象項目名】０１６０
【補正方法】変更
【補正の内容】
【０１６０】
また、ポインタ判別を或る特定の情報サーバ（情報センタ１）で行い、またデータロードは再生端末装置（記録再生装置１０）で行うことで、上記同様に情報サーバ側でのアドレス変更などに対する組織的な対応などが可能となるとともに、アクセス及びデータロードは再生端末装置側の再生動作上や操作上の都合に応じてフレキシブルに実行できる。


【手続補正１０】
【補正対象書類名】明細書
【補正対象項目名】０１６１
【補正方法】変更
【補正の内容】
【０１６１】
また、ポインタ判別とデータロードを再生端末装置（記録再生装置１０）で行うことで、情報サーバとしては特にポインタ判別やデータロード処理等を行う必要はない。換言すれば、上記情報センタ１のようなサーバを不要とすることもでき、多数のプロバイダのような既存の情報サーバとの間でシステムを構築できるため、システム実現が容易化されるという効果がある。
もちろんデータロード処理等の実行なども再生端末装置側の都合に応じてフレキシブルに実行できる。


【手続補正１１】
【補正対象書類名】明細書
【補正対象項目名】０１６２
【補正方法】変更
【補正の内容】
【０１６２】
また再生端末装置ではロードデータを格納しておくことができるため、それ以降の時点でもロードデータを有効利用できる。例えばその後の再生時などにはデータロードをしなくても多様な情報表示の実行が可能となる。


【手続補正１２】
【補正対象書類名】明細書
【補正対象項目名】０１６３
【補正方法】変更
【補正の内容】
【０１６３】
また再生端末装置では、格納されたデータファイルやロードデータを任意に編集できるため、ユーザーが好みに応じた再生動作及びその再生に応じた表示出力を実行させることができ、使用の際の楽しみを広げることができる。


【手続補正１３】
【補正対象書類名】明細書
【補正対象項目名】０１６４
【補正方法】変更
【補正の内容】
【０１６４】
またロードデータの表示内容に関しては、再生端末装置での再生動作状況に応じて切り換えられていくため、ユーザーは特に表示に関する操作を行わなくとも、多様な情報をみることができる。


【手続補正１４】
【補正対象書類名】明細書
【補正対象項目名】０１６５
【補正方法】変更
【補正の内容】
【０１６５】
またロードデータの表示動作に関して、表示継続時間に応じて表示内容が切り換えられるため、この場合も、ユーザーは特に表示に関する操作を行わなくとも、多様な情報をみることができる。


【手続補正１５】
【補正対象書類名】明細書
【補正対象項目名】０１６６
【補正方法】変更
【補正の内容】
【０１６６】
またロードデータの表示動作に関して、表示動作もしくは再生動作に関する操作に応じて表示内容切換が実行されるため、ユーザーの好みやその時点で知りたい情報などを表示させていくこと、即ち対話型の情報提供が可能になったり、または再生動作に関する操作として把握されるユーザーの状況に応じた情報表示などが可能となる。


【手続補正１６】
【補正対象書類名】明細書
【補正対象項目名】０１６７
【補正方法】変更
【補正の内容】
【０１６７】
また表示動作もしくは再生動作に関する操作が所定時間以上行われなかった場合には、表示内容が特定の表示に切り換えられるため、特に情報表示が不要とされる場合でも画面を切り換えることで興味深い表示を実現したり、或いは上記特定の表示とはいわゆるスクリーンセーバーとしての画面表示とすることで、表示手段の焼き付け防止をはかることなども可能となる。


【手続補正１７】
【補正対象書類名】明細書
【補正対象項目名】０１６８
【補正方法】変更
【補正の内容】
【０１６８】
またオーディオデータの再生に際して関連する情報が表示されることになるため、オーディオ機器として、簡易な操作性を保ったままでの付加価値の高いシステムを実現できるという効果がある。